(57)【特許請求の範囲】
【請求項１】
上下方向に互いに隣接する下階および上階を含む住宅であって、
前記住宅の正面視において前記下階および前記上階に跨って配置される第１の外壁部と、
前記第１の外壁部のうち前記上階の外壁部の面を基準面とし、当該基準面から屋外方向へ突出し、前記下階の天井レベルおよび前記上階の床レベルにおいて前記第１の外壁部の横幅方向一方端側から途中位置まで延びる第１庇部と、
前記基準面となる前記上階の外壁部の横幅方向他方端側から途中位置まで同一の厚みで延び、下面が前記基準面よりも屋内方向へ後退している上階外壁帯状部とを備え、
前記第１の外壁部のうち、前記上階外壁帯状部の下方に位置する下方空間に隣接する下階の後退壁部には、前記下階の屋内空間に繋がる開口部が設けられ、
前記第１庇部と前記上階外壁帯状部は、前記下階の天井レベル、かつ、前記上階の床レベルにおいて、同一の高さで、かつ同一の厚みで延び、
前記第１庇部の屋外側端面は、前記上階外壁帯状部よりも屋外側に位置し、
前記基準面と前記第１庇部の屋外側端面と前記上階外壁帯状部は、同一の屋外側方向へ向いている、住宅。
【請求項２】
前記開口部は、前記後退壁部の全横幅にわたって設けられた掃出し窓である、請求項１に記載の住宅。
【請求項３】
前記第１の外壁部の横幅方向他方端部に直交する第２の外壁部をさらに備え、
前記上階外壁帯状部が前記第２の外壁部にまで回り込むことで、前記下方空間が平面視においてＬ字状に延在しており、
前記第２の外壁部にも、前記下階の屋内空間に繋がる開口部が設けられている、請求項１または２に記載の住宅。
【請求項４】
前記上階外壁帯状部の上には、上階のバルコニーが設けられており、
前記バルコニーの天井部を構成し、かつ、前記第１の外壁部の横幅方向他方端側から同一の厚みで途中位置まで延びる第２外壁帯状部をさらに備える、請求項３に記載の住宅。
【請求項５】
前記上階外壁帯状部を貫通するように前記下方空間および前記バルコニーに立設された化粧柱をさらに備える、請求項４に記載の住宅。
【請求項６】
陸屋根をさらに備え、
前記第２外壁帯状部が前記陸屋根の軒部により形成されている、請求項４または５に記載の住宅。
【請求項７】
前記第１庇部の横幅方向一方端部から下方に延びる支持部をさらに備える、請求項１〜６のいずれかに記載の住宅。
【請求項８】
前記第１庇部における横幅方向一方端部以外の厚みは、前記上階外壁帯状部と略同じ厚みである、請求項７に記載の住宅。
【請求項９】
前記第１庇部と前記支持部とで囲まれた空間に、玄関ポーチが配置されている、請求項７または８に記載の住宅。
【請求項１０】
前記第１庇部の横幅方向一方端部は、前記第１の外壁部よりも屋外方向へ突出しており、
前記第１庇部と前記支持部で囲まれた空間に、駐車スペースが配置されている、請求項７〜９のいずれかに記載の住宅。
【発明の詳細な説明】
【技術分野】
【０００１】
本発明は、住宅に関し、特に、戸建住宅に関する。
【背景技術】
【０００２】
従来から、外観の意匠性を高めるために、次のような住宅が提案されている。特開２０１３−１２７１８１号公報（特許文献１）では、２階の正面外壁に片持ちのオーバーハング部およびキャンティバルコニーが設けられ、１階部分と２階部分との境界付近に、外方向に向かって水平に突出するフラット庇が設けられた戸建住宅が開示されている。このフラット庇は、正面側から見て左側に突出し、住宅の側面にも一部が回り込んで形成されている。キャンティバルコニーは、オーバーハング部に隣接し、かつ、正面側から見て正面外壁の右側に設けられている。
【先行技術文献】
【特許文献】
【０００３】
【特許文献１】特開２０１３−１２７１８１号公報
【発明の概要】
【発明が解決しようとする課題】
【０００４】
上記特許文献１に開示された住宅は、正面外壁に、オーバーハング部、キャンティバルコニー、およびフラット庇を設けることで、正面外壁の単調さを解消するようにしている。しかしながら、特許文献１の住宅の外観は、コンパクトにまとまった印象となっており、建物全体のインパクトに欠ける。
【０００５】
本発明は、上記のような課題を解決するためになされたものであって、その目的は、外観意匠性をさらに向上させることのできる住宅を提供することである。
【課題を解決するための手段】
【０００６】
この発明のある局面に従う住宅は、上下方向に互いに隣接する下階および上階を含む住宅であって、下階および上階に跨って配置される第１の外壁部と、第１庇部と、第２庇部とを備える。第１庇部は、第１の外壁部における基準面から屋外方向へ突出し、下階の天井レベルにおいて第１の外壁部の横幅方向一方端側から途中位置まで延びる。第２庇部は、第１庇部と同じ高さにおいて、第１の外壁部の横幅方向他方端側から同一の厚みで途中位置まで延び、基準面よりも屋内方向へ後退することによって形成される。第１の外壁部のうち、第２庇部の下方に位置する庇下空間に隣接する後退壁部には、下階の屋内空間に繋がる開口部が設けられている。
【０００７】
好ましくは、開口部は、後退壁部の全横幅にわたって設けられた掃出し窓である。
【０００８】
好ましくは、住宅は、第１の外壁部の横幅方向他方端部に直交する第２の外壁部をさらに備え、第２庇部が第２の外壁部側にまで回り込むことで、庇下空間が平面視においてＬ字状に延在している。この場合、第２の外壁部にも、下階の屋内空間に繋がる開口部が設けられていることが望ましい。
【０００９】
好ましくは、第２庇部の上には、上階のバルコニーが設けられている。この場合、当該住宅は、バルコニーの天井部を構成し、かつ、第１の外壁部の横幅方向他方端側から同一の厚みで途中位置まで延びる第３庇部をさらに備えることが望ましい。
【００１０】
好ましくは、第２庇部を貫通するように庇下空間およびバルコニーに立設された化粧柱をさらに備える。
【００１１】
当該住宅は、陸屋根をさらに備え、第３庇部が陸屋根の軒部により形成されていてもよい。
【００１２】
好ましくは、第１庇部の幅方向一方端部から下方に延びる支持部をさらに備える。
【００１３】
その場合、第１庇部における横幅方向一方端部以外の厚みは、第２庇部と略同じ厚みである。
【００１４】
第１庇部と後退壁部とで囲まれた空間に、玄関ポーチが配置されていてもよい。
【００１５】
あるいは、第１庇部の横幅方向一方端部が、第１の外壁部よりも屋外方向へ突出している場合、第１庇部と後退壁部で囲まれた空間に、駐車スペースが配置されていてもよい。
【発明の効果】
【００１６】
本発明によれば、外観意匠性を向上させることができる。
【図面の簡単な説明】
【００１７】
【図１】本発明の実施の形態に係る住宅の正面側の外観を示す図である。
【図２】本発明の実施の形態に係る住宅の１階の構成を示した平面図である。
【図３】本発明の実施の形態に係る住宅の２階の構成を示した平面図である。
【発明を実施するための形態】
【００１８】
本発明の実施の形態について図面を参照しながら詳細に説明する。なお、図中同一または相当部分には同一符号を付してその説明は繰返さない。
【００１９】
図１〜図３を参照して、本実施の形態に係る住宅１０ついて説明する。図１には、住宅１０の外観斜視図が示されている。以下の説明において、住宅１０の正面側を前方、裏面側を後方という。なお、住宅１０の正面側とは、たとえば、玄関扉６１が設けられる側か、屋外の通路に面する側を表わしている。
【００２０】
住宅１０は、一戸建ての住宅であり、居住空間を形成する建物である。住宅１０は、複数階建て、たとえば２階建ての住宅である。
【００２１】
住宅１０は、屋内空間を取り囲むように配置された外壁２と、屋根３とを有している。外壁２は、典型的には、住宅１０の正面側、裏面側、および左右の側面側にそれぞれ配置された４つの外壁部を含む。各外壁部は、平面視において住宅１０の一辺を構成しており、外壁面の一部が後退または突出させられることによる凹凸を有していても良い。各外壁部は、住宅１０の１階および２階に跨って配置されている。
【００２２】
住宅１０の正面側の外壁部（以下、「正面外壁」という）２１は、ある部分の外壁面（表面）を基準として、前後方向に凹凸が形成されている。このことについて具体的に説明する。なお、正面外壁２１の凹凸の基準となる外壁面を、基準面２１０という。また、本実施の形態では、正面外壁２１の横幅方向一方側が正面から見て左側、横幅方向他方側が正面から見て右側であるものとするが、これらは逆であってもよい。図２には、正面外壁２１の横幅方向が矢印Ａ１にて示されている。
【００２３】
図１および図２に示されるように、住宅１０の１階の正面外壁２１は、基準面２１０よりも後退した後退壁部２１２ａ，２１２ｂと、基準面２１０よりも前方へ突出した突出壁部２１３とを有している。２つの後退壁部２１２ａ，２１２ｂは、突出壁部２１３を挟んで左右に配置されている。住宅１０の玄関扉６１は、たとえば左側の後退壁部２１２ａに設けられている。
【００２４】
図１および図３に示されるように、住宅１０の２階の正面外壁２１は、基準面２１０を構成する基準外壁部２１１と、基準面２１０よりも後退した後退壁部２１４ａ，２１４ｂとを有している。２つの後退壁部２１４ａ，２１４ｂは、基準外壁部２１１を挟んで左右に配置されている。
【００２５】
２階の基準外壁部２１１と１階の突出壁部２１３とは、横幅方向位置が少なくとも部分的に重なっている。つまり、これらは、少なくとも部分的に上下方向に重なっている。本実施の形態では、基準外壁部２１１の幅寸法の方が、突出壁部２１３の幅寸法よりも大きく、基準外壁部２１１が突出壁部２１３よりも右方向に長い。
【００２６】
住宅１０の正面から見て左側に位置する１階の後退壁部２１２ａおよび２階の後退壁部２１４ａは、基準面２１０から同じ距離だけ後退していることが望ましい。同様に、住宅１０の正面から見て右側に位置する１階の後退壁部２１２ｂおよび２階の後退壁部２１４ｂは、基準面２１０から同じ距離だけ後退していることが望ましい。なお、左側の後退壁部２１２ａ，２１４ａと、右側の後退壁部２１２ｂ，２１４ｂとは、基準面２１０からの後退距離が異なっていてもよい。
【００２７】
なお、住宅１０の右側面を構成する外壁部（右側壁）２２の屋外側の面は、１階および２階ともに平坦である。また、住宅１０の左側面を構成する外壁部（左側壁）２３の屋外側の面も、１階および２階ともに平坦である。
【００２８】
ここで、住宅１０には、正面外壁２１の基準面２１０から前方（屋外方向）へ突出する第１庇部４１と、正面外壁２１の基準面２１０から屋内方向へ後退することによって形成された第２庇部４２とが設けられている。
【００２９】
第１庇部４１は、住宅１０の１階の天井レベル（つまり、２階の床レベル）において、正面外壁２１の左端部側から正面外壁２１の途中位置まで延びている。具体的には、第１庇部４１の始端位置は、正面外壁２１の左端位置よりも左側（屋外方向）に突出した位置であり、第１庇部４１の終端位置は、１階の突出壁部２１３とその右側の後退壁部２１２ｂとの境界位置である。
【００３０】
突出壁部２１３は、その上の階の基準外壁部２１１よりも前方へ突出しているため、第１庇部４１は、突出壁部２１３の屋根部４１１を含んでいる。また、第１庇部４１は、基準外壁部２１１よりも左側の部分において、基準面２１０から後退壁部２１４ａに向かって後方に延在する拡張部４１２を有していてもよい。これにより、第１庇部４１の下方に位置する庇下空間８２のうち、後退壁部２１２ａの前方に位置する空間を、玄関ポーチとすることができる。
【００３１】
第１庇部４１の前端位置は、それが取付けられている正面外壁２１の凹凸に追従することなく、横幅方向一端から他端まで均一である。第１庇部４１の前端位置と基準面２１０との距離は、たとえば９００ｍｍ以上である。第１庇部４１の前端位置と突出壁部２１３の外壁面との距離は、たとえば４００ｍｍ以上である。
【００３２】
第１庇部４１の左端部（横幅方向一方端部）は、袖壁７１に連結されている。そのため、第１庇部４１と袖壁７１とによって、前方から見てＬ字が形成されている。第１庇部４１は、袖壁７１との連結部を除き、同一の厚みで水平方向に延在している。第１庇部４１の厚みは、袖壁７１と略同じ厚みか、あるいは、袖壁７１の厚み以上である。第１庇部４１の前端面４１０は、袖壁７１の端面７１０と面一状となっていることが望ましい。
【００３３】
袖壁７１は、たとえば、第１庇部４１の左端部全体に連結されている。つまり、袖壁７１の後端は、正面外壁２１の後退壁部２１２ａ，２１４ａの壁面ライン上に位置していてもよい。なお、袖壁７１が、正面外壁２１の左端縁よりも屋外方向（左方向）に十分に突出した位置に設けられている場合、袖壁７１と第１庇部４１とで囲まれた庇下空間８２の一部を、駐車スペースとしてもよい。
【００３４】
第２庇部４２は、第１庇部４１と同じ高さにおいて、正面外壁２１の右端部側から同一の厚みで正面外壁２１の途中位置まで延びている。具体的には、第２庇部４２の始端位置は、正面外壁２１の右端位置よりも右側（屋外方向）に突出した位置であり、第２庇部４２の終端位置は、２階の右側の後退壁部２１４ｂと基準外壁部２１１の境界位置である。第２庇部４２の後端位置と基準面２１０との距離は、たとえば４００ｍｍ以上である。
【００３５】
このように、住宅１０の正面に、基準面２１０から前方へ突出する第１庇部４１と、基準面２１０から後退することによって形成された第２庇部４２とが、同一高さにおいて、左右並べて配置されている。また、これにより、第１庇部４１の庇下空間８２と、第２庇部４２の庇下空間８３とが、前後方向にずれて設けられる。したがって、本実施の形態によれば、住宅１０の外観意匠性を向上させることができる。
【００３６】
本実施の形態では、第１庇部４１の終端位置と第２庇部４２の終端位置とに隔たりがある。つまり、１階の突出壁部２１３の右端位置と２階の後退壁部２１４ｂの左端位置との間の領域内には、中継部５１が設けられている。この場合、中継部５１の下面５１０は、第２庇部４２の裏面（天井面）４２０と面一であることが望ましい。これにより、第２庇部４２の天井面が第１庇部４１の終端位置まで延びているような印象を与えることができる。また、庇部４１，４２が、正面外壁２１の横幅方向に沿って、同一の厚みで連続して延びているような印象とすることができる。なお、中継部５１の表面は、基準面２１０を構成しているが、後退壁部２１４ｂの外壁面を基準と仮定すれば、中継部５１は、後退壁部２１４ｂより前方に張り出したオーバーハング部と見做すこともできる。
【００３７】
第２庇部４２が取り付く１階の後退壁部２１２ｂには、その全横幅にわたって、１階の屋内空間８１に繋がる開口部６２が設けられている。開口部６２は、たとえば掃き出し窓である。このように、掃き出し窓が正面外壁２１に設けられていても、掃き出し窓は第２庇部４２の奥に位置するため、屋内空間８１への十分な採光を可能としながら、他人の視線からプライバシーを保護することができる。
【００３８】
さらに、本実施の形態では、第２庇部４２は、正面外壁２１に直交する外壁部である右側壁２２側にまで回り込んでいる。つまり、第２庇部４２は、平面視においてＬ字状に延在し、正面側に位置する部分４２１と、側面側に位置する部分４２２とを有している。これにより、平面視においてＬ字状に延在する庇下空間８３が形成されている。この場合、第２庇部４２のうち側面側に位置する部分４２２は、右側壁２２の全横幅にわたって延びていてもよい。図２には、右側壁２２の横幅方向が矢印Ａ２にて示されている。
【００３９】
右側壁２２のうち庇下空間８３に隣接する部分にも、１階の屋内空間８１に繋がる開口部６２が設けられていることが望ましい。これにより、外壁２のコーナー部に沿って、開口部６２もＬ字状に配置される。したがって、１階の屋内空間８１が庇下空間８３にまで広がっているような開放感と、第２庇部４２の存在による落ち着き感とを、居住者に与えることができる。
【００４０】
本実施の形態では、第２庇部４２の上方空間は、バルコニー８４として利用されている。つまり、第２庇部４２の天井面が、２階のバルコニー８４の床面として利用されている。この場合、２階の後退壁部２１４ｂおよびそれに直交する右側壁２２には、開口部（掃き出し窓）６３が設けられている。
【００４１】
バルコニー８４の屋外側端縁に沿って、手摺枠７３が設けられている。手摺枠７３には、透明または半透明のパネルが嵌められている。そのため、第２庇部４２上にバルコニー８４が設けられる場合であっても、第２庇部４２の水平ラインを際立たせることができる。
【００４２】
バルコニー８４は、その天井部を構成する第３庇部４３の下方に位置している。本実施の形態の住宅１０は２階建てであるため、第３庇部４３は、陸屋根３の軒部により形成されている。第３庇部４３は、第２庇部４２と平行に配置され、正面外壁２１の右端側から同一の厚みで途中位置まで延びている。具体的には、第３庇部４３の始端位置および終端位置は、第２庇部４２の始端位置および終端位置とそれぞれ同じである。また、第３庇部４３の厚みは、第２庇部４２の厚みと略同一である。
【００４３】
なお、第３庇部４３と２階の後退壁部２１４ｂとの位置関係は、第２庇部４２と１階の後退壁部２１２ｂとの位置関係と同様である。そのため、これらについての詳細な説明は繰り返さない。
【００４４】
陸屋根３は、左側の後退壁部２１４ａに隣接する部分に軒部を有している。これに対し、陸屋根３は、基準外壁部２１１と隣接する部分においては軒部を有していない。そのため、第３庇部４３の前端面は、基準外壁部２１１の外壁面（基準面２１０）と面一状に形成される。これにより、２階の基準外壁部２１１の右側部分を中央部だけ切り取ったような、斬新なデザインとすることができる。
【００４５】
また、住宅１０の右端には、第２庇部４２を貫通するように、庇下空間８３およびバルコニー８４に設けられた化粧柱７２が立設されている。化粧柱７２は、基準面２１０よりも後方位置、すなわち第２庇部４２および第３庇部４３の前端面よりも後方位置に配置されている。これにより、住宅１０を正面側から見た場合に、第２庇部４２および第３庇部４３が、空中に向かって飛び出しているような印象を与えることができる。
【００４６】
一方、第１庇部４１は、左端部全体が袖壁７１によって支持されている。また、住宅１０の正面中央に位置する基準外壁部２１１および突出壁部２１３は、開口部を有していないか、小窓６４しか有していない。したがって、本実施の形態によれば、住宅１０の重厚感を失うことなく意匠性を向上させることができる。
【００４７】
なお、本実施の形態では、基準外壁部２１１は、２階にのみ設けられることとしたが、１階にも設けられていてもよい。たとえば、１階の突出壁部２１３に代えて、その部分に基準外壁部２１１が設けられてもよい。その場合、第１庇部４１は、突出壁部２１３の屋根部４１１を含まず、純粋な庇として機能する。
【００４８】
また、本実施の形態では、第１庇部４１と第２庇部４２とが、中継部５１を挟んで左右に配置されることとしたが、このような構成に限定されない。すなわち、第１庇部４１の終端位置と第２庇部４２の終端位置とが、一致または近接していてもよい。その場合、住宅１０を正面から見た場合、庇部４１，４２が、正面外壁２１の横幅方向に沿って、同一の厚みで継ぎ目なく延びているような印象を与えることもできる。
【００４９】
また、第１庇部４１の左側端部は、袖壁７１によって支持されることとしたが、１以上の化粧柱など、他の支持部によって支持されてもよい。あるいは、第２庇部４２の右側端部は、化粧柱７２によって支持されることとしたが、袖壁など、他の支持部によって支持されてもよい。
【００５０】
また、バルコニー８４は、その上方に軒部、すなわち第３庇部４３を有さないベランダであってもよい。
【００５１】
また、本実施の形態の住宅１０は、２階建てである例を示したが、３階以上を有していてもよい。この場合、第１庇部４１および第２庇部４２は、上下方向に隣接する下階および上階の間に配置されればよい。つまり、たとえば下階が２階、上階が３階に相当し、これらの庇部４１，４２は、住宅１０の２階の天井レベル（３階の床レベル）に設けられてもよい。
【００５２】
あるいは、住宅１０は、１階建てであってもよい。つまり、第１庇部４１および第２庇部４２は、建物の屋根（陸屋根）の軒部によって構成されてもよい。
【００５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５４】
２  外壁、３  屋根、１０  住宅、２１  正面外壁、２２  右側壁、２３  左側壁、４１  第１庇部、４２  第２庇部、４３  第３庇部、５１  中継部、６１  玄関扉、６２  開口部、６４  小窓、７１  袖壁、７２  化粧柱、７３  手摺枠、８１  屋内空間、８２，８３  庇下空間、８４  バルコニー、２１０  基準面、２１１  基準外壁部、２１２ａ，２１２ｂ，２１４ａ，２１４ｂ  後退壁部、２１３  突出壁部。
【図１】
0006788326.tif 000002
【図２】
0006788326.tif 000003
【図３】
0006788326.tif 000004